(57)【特許請求の範囲】
【請求項１】
四角筒状の胴部の上縁に折目線を介して連設されて互いに対向する一対の内フラップを内側方向に水平に折り曲げ、前記胴部の上縁に折目線を介して連設されて両内フラップと交差する方向に互いに対向する一対の外フラップを内側方向に水平に折り曲げると共に両外フラップの先端縁を互いに突き当てた突き当て部を形成し、所定の長さに切断した所定幅の接着テープを、前記突き当て部に沿って貼着することにより封緘する段ボール製包装箱の封緘構造において、
少なくとも一方の前記内フラップの前記突き当て部に対応する位置に、内フラップの先端縁に向かう方向に長手で前記接着テープの幅より小さい幅寸法であって前記胴部の上縁との連設状態を維持して該内フラップから遊離する舌片を設け、
該舌片を、前記内フラップから遊離させて該内フラップの折り曲げ方向と反対方向に折り返し、その先端を下方に向けて前記胴部の外側面に重合させ、
前記突き当て部に沿って前記接着テープを貼着すると共に、該接着テープの長さ方向の端縁から前記舌片の先端を露出させた状態で、該接着テープを前記舌片上及び該舌片の両側の前記胴部の外側面に貼着することを特徴とする段ボール製包装箱の封緘構造。
【発明の詳細な説明】
【技術分野】
【０００１】
本発明は、段ボール製包装箱の封緘構造に関する。
【背景技術】
【０００２】
段ボール製包装箱においては、接着テープを用いて封緘することが行われている。即ち、先ず、包装箱の四角筒状の胴部の上縁に折目線を介して連設されて互いに対向する一対の内フラップを内側方向に水平に折り曲げる。次いで、前記胴部の上縁に折目線を介して連設されて両内フラップと交差する方向に互いに対向する一対の外フラップを内側方向に水平に折り曲げ、両外フラップの先端縁を互いに突き当てる。そして、この突き当て部に、所定の長さに切断した所定幅の接着テープを貼着する。
【０００３】
このような封緘構造において、接着テープは、突き当て部の全長を覆って両外フラップを連結状態とするが、更に、外フラップの浮き上がりを防止するために、接着テープの長手方向の両端部を前記胴部の上部側の外側面に貼着するのが一般的である。
【０００４】
ところで、上記の封緘構造では、接着力の高い接着テープを用いることにより、強固な封緘状態を維持することができるが、その反面、開封する際には接着テープが剥がし難く、開封作業が円滑に行えない不都合がある。
【０００５】
そこで、従来、包装箱の胴部の外側面に屈曲した形状の切目線を設け、この切目線上に接着テープの端部を貼着すると共に、切目線の屈曲部を接着テープの端部から露出させた封緘構造が知られている（下記特許文献１参照）。
【０００６】
この封緘構造では、包装箱を開封する際に、接着テープの端部から露出する切目線の屈曲部を手掛かりとして引き上げることで、切目線に沿って胴部の外側面から遊離する舌片が形成される。この舌片が胴部の外側面から遊離するとき、舌片と共に接着テープの端部が胴部の外側面から剥離され、この剥離した接着テープの端部を把持することで、容易に開封することができる。
【先行技術文献】
【特許文献】
【０００７】
【特許文献１】実開平０２−０１９７２７号公報
【発明の概要】
【発明が解決しようとする課題】
【０００８】
しかし、上記従来の封緘構造によると、胴部の外側面に切目線を設けるため、例えば上下に複数の包装箱を積み上げたときにその荷重に対する強度が切目線によって低下するおそれがある。また、切目線の一部が接着テープから露出しているため、外部から他の物品等が接触すると、当該切目線が不用意に破断するおそれがある。
【０００９】
上記の点に鑑み、本発明は、強固な封緘状態としながら容易に開封することができ、しかも、包装箱の強度を低下させることのない段ボール製包装箱の封緘構造を提供することを目的とする。
【課題を解決するための手段】
【００１０】
かかる目的を達成するために、本発明は、四角筒状の胴部の上縁に折目線を介して連設されて互いに対向する一対の内フラップを内側方向に水平に折り曲げ、前記胴部の上縁に折目線を介して連設されて両内フラップと交差する方向に互いに対向する一対の外フラップを内側方向に水平に折り曲げると共に両外フラップの先端縁を互いに突き当てた突き当て部を形成し、所定の長さに切断した所定幅の接着テープを、前記突き当て部に沿って貼着することにより封緘する段ボール製包装箱の封緘構造において、少なくとも一方の前記内フラップの前記突き当て部に対応する位置に、内フラップの先端縁に向かう方向に長手で前記接着テープの幅より小さい幅寸法であって前記胴部の上縁との連設状態を維持して該内フラップから遊離する舌片を設け、該舌片を、前記内フラップから遊離させて該内フラップの折り曲げ方向と反対方向に折り返し、その先端を下方に向けて前記胴部の外側面に重合させ、前記突き当て部に沿って前記接着テープを貼着すると共に、該接着テープの長さ方向の端縁から前記舌片の先端を露出させた状態で、該接着テープを前記胴部の外側面及び前記舌片上に貼着することを特徴とする。
【００１１】
本発明によれば、前記舌片を、内フラップから遊離させた後に胴部の外側面に重合させ、前記突き当て部に接着テープを貼着するときに、接着テープの端部で舌片の一部を被覆するようにして貼着する構造としたので、極めて容易に封緘作業を行うことができる。
【００１２】
このとき、前記舌片は、接着テープの幅より小さい幅寸法に形成されているので、接着テープを舌片上に貼着したとき接着テープの両側が舌片から張り出した状態となる。従って、舌片に貼着した接着テープは、舌片の両側に張り出した部分を胴部の外側面の舌片の両側に貼着することができる。これにより、舌片の先端が接着テープの端縁から露出していても、舌片の先端以外の部分では、接着テープが舌片の両側で確実に胴部の外側面に貼着した状態となり、強固な封緘状態を維持することができる。
【００１３】
封緘状態にあるとき、前記舌片はその先端が接着テープの端縁から露出している。これにより、開封時に舌片の先端を手掛かりとして舌片を胴部の外側面から離反させるだけで、接着テープの端縁を胴部の外側面から剥離させることができ、剥離された接着テープの端縁を摘んで容易に開封することができる。
【００１４】
また、前記舌片は内フラップから遊離する構成であるので、従来のように、胴部の外側面に切目線を設ける必用がなく、包装箱の強度を低下させることなく舌片を設けることができる。
【００１５】
更に、前記舌片は内フラップに設けるので、内フラップに前記舌片が設けられていない既存の段ボール製包装箱に対して、前記舌片を容易に追加形成することができる。即ち、この種の包装箱は、段ボール板紙を展開形状に打抜いた後にこれを組立てて形成されるが、既存の展開形状に打抜いたものに対して後工程で内フラップに前記舌片のみを型抜きすることで、容易に前記舌片を設けることができる。
【図面の簡単な説明】
【００１６】
【図１】本発明の実施形態を示す斜視図。
【図２】本実施形態における封緘状態の要部を示す説明図。
【図３】本実施形態における開封作業の一部を示す説明図。
【図４】本実施形態における包装箱の展開図。
【図５】図４の要部を拡大して示す説明図。
【図６】本実施形態における封緘作業の一部を示す説明図。
【発明を実施するための形態】
【００１７】
本発明の一実施形態を図面に基づいて説明する。図１において、１は本発明の封緘構造を採用した包装箱を示している。包装箱１は四角筒状の胴部２を備え、その天面が一対の外フラップ３により閉塞されている。外フラップ３の内面側には、図１においては図示されないが、後述する内フラップ４（図４参照）が重合されている。外フラップ３は、胴部２の上縁に連設されており、胴部２の上縁から折り曲げられて、胴部２の天面を閉塞する。そして、胴部２の天面には、両外フラップ３の先端縁を互いに突き当てた突き当て部５が形成される。また、図１においては図示されないが、胴部２の底面も天面と同様にして閉塞されている。
【００１８】
また、胴部２の外側面（後述する第２側板９の外面）には舌片６が重合した状態とされている。そして、図１に示すように、突き当て部５の全長にわたって接着テープ７が貼着され、これによって包装箱１が封緘された状態となっている。なお、接着テープ７は、その長手方向の両端部が胴部２の外側面にも貼着される。このとき、図２に示すように、接着テープ７の一方の端部が、舌片６とその両側の胴部２の外側面とに貼着され、接着テープ７の端縁からは舌片６の先端が露出した状態とされる。
【００１９】
図２に示すように、接着テープ７が舌片６とその両側の胴部２の外側面とに貼着されることにより、舌片６が胴部２の外側面から不用意に離反することがなく、強固な封緘状態とすることができる。
【００２０】
なお、接着テープ７は、クラフトテープ、布テープ、ＯＰＰテープ（延伸ポリプロピレンテープ）等を採用可能なものとして挙げることができる。本実施形態においては、耐水性や引張強度に優れていることにより不用意に破れが生じない強固な封緘状態が維持でき、透明性を有して閉塞状態を視認可能なことから、ＯＰＰテープを採用している。本発明の封緘構造は、ＯＰＰテープのように強固に封緘することができる接着テープ７を用いた場合に特に有利となる。
【００２１】
封緘された包装箱１は、接着テープ７を引き剥がすことにより開封される。このとき、接着テープ７が強固な封緘状態を維持しているため、接着テープ７の周縁の何れかの位置を引き剥がす際の手掛かりとすることは困難である。
【００２２】
そこで、接着テープ７を引き剥がすときには、図３に示すように、先ず、接着テープ７の端縁から露出する舌片６の先端を手掛かりとして、舌片６を胴部２の外側面から離反する方向に揺動させる。これにより、接着テープ７の端部は舌片６の両側の胴部２の外側面から剥離して胴部２の外側面から離反する。
【００２３】
そして、接着テープ７の端部における胴部２の外側面から剥離した部分を把持することで、接着テープ７をその全長にわたって引き剥がすことができる。このように、包装箱１が舌片６を備えることにより、極めて容易に開封作業を行うことができる。
【００２４】
ここで、舌片６について更に詳しく説明する。舌片６を備える包装箱１は、図４に展開状態で示すように、段ボール板紙を大略矩形状に打ち抜くことにより形成される。この板紙において、一対の第１側板８と一対の第２側板９とが、夫々折目線ａを介して横方向に交互に連設されている。図中１０は、一方の第１側板８の側縁に折目線ｂを介して連設された接着片である。
【００２５】
そして、折目線ａを介して各第１側板８及び各第２側板９を折り曲げて四角筒状とし、接着片１０により端部を接着することにより胴部２（図１参照）が形成される。
【００２６】
包装箱１を構成する段ボール板紙は、図４に一部を破断して示すように、段付き中芯１１の段が上下方向に延びるように打ち抜かれたものであり、包装箱１を形成したときに、上方からの荷重に対して強度が得られるようになっている。
【００２７】
第１側板８の上縁と下縁とには、外フラップ３が折目線ｃを介して連設されている。第２側板９の上縁と下縁とには内フラップ４が折目線ｄを介して連設されている。図１に示すように胴部２の上下を閉塞するときには、先ず、内フラップ４を胴部２の内側方向に略水平に折り曲げ、その上から外フラップ３を胴部２の内側方向に略水平に折り曲げる。内フラップ４及び外フラップ３による胴部２の閉塞状態は包装箱１の天面側と底面側とで同様である。
【００２８】
図４に示すように、一方の第２側板９の上縁に連設された内フラップ４には、舌片６が形成されている。舌片６は、図５に示すように、切り抜き部１２によって内フラップ４から遊離自在とされている。舌片６の下縁は内フラップ４と同様にして折目線ｅを介して第２側板９の上縁に連設された状態となっており、この折目線ｅによって第２側板９に対して内フラップ４とは独立して折り曲げることができるようになっている。なお、本実施形態においては、切り抜き部１２によって舌片６を形成したが、切り抜き部１２に替えて、図示しないが、破断可能線により舌片６を形成することもできる。
【００２９】
図４に示すように、舌片６は、該舌片６を設けた内フラップ４の両側の一対の外フラップ３の先端同士を突き当てたときの前記突き当て部５に対応する位置（一点鎖線ｖで示す）に沿って内フラップ４の先端方向に向かって延びる形状とされている。
【００３０】
また、図５に示すように、舌片６の幅寸法ｚは、接着テープ７の（二点鎖線で示す）幅寸法ｔよりも小さく形成されている。具体的には、接着テープ７の幅寸法ｔが、梱包用のもので一般に約５０mmであることにより、本実施形態においては、舌片６の幅寸法ｚを約２０mmとしている。なお、舌片６の幅寸法ｚを約２０mmとしておけば、５０mm近傍のものから５０mmを超える幅寸法ｔを有する接着テープ７が使用できて有利である。なお、舌片６の幅寸法ｚは約２０mmに限るものではなく、接着テープ７の幅寸法ｔに対応して適宜設定すればよい。
【００３１】
以上のように構成された包装箱１は、図１に示すように、胴部２を形成した後に、底面側を閉塞する。胴部２の底面側を閉塞する場合には、外フラップ３同士を接着テープ７で連結すればよく、それ以外には、外フラップ３同士をステープル等により連結したり、内フラップ４と外フラップ３とを接着剤により接着してもよい。
【００３２】
包装箱１の天面側における封緘作業は、図６（ａ）に示すように、先ず、内フラップ４を胴部２の内側方向に略水平に折り曲げる。このとき、舌片６が内フラップ４から遊離して、第２側板９の上縁に起立した状態で残る。
【００３３】
次いで、図６（ｂ）に示すように、外フラップ３を胴部２の内側方向に略水平に折り曲げると共に両外フラップ３の先端縁を互いに突き当てた突き当て部５を形成する。そして、舌片６を外側に折り返して第２側板９の外面に重合させる。
【００３４】
この状態を維持して、図１に示すように、舌片の先端を露出させた状態で、舌片６から突き当て部５、及び舌片６が重合する第２側板９と反対側の第２側板９にわたり、接着テープ７を貼着する。これにより、前述した通り強固な封緘状態を形成することができる。
【００３５】
封緘された包装箱１を開封するときには、図３に示すように、舌片６を介して接着テープ７の端部を第２側板９から剥離させ、剥離させた接着テープ７の端部を把持して接着テープ７を全長にわたり剥離させて包装箱１から取り除く。これにより、前述した通り包装箱１の開封を極めて容易に行うことができる。
【００３６】
そして、上記構成の包装箱１は、舌片６を内フラップ４の一部から遊離するように設けたことにより、胴部２の強度が低下しない。また、図４に示すように、包装箱１を構成する段ボール板紙は、段付き中芯１１の段が上下方向に延びる向きとされているので、舌片６においても、その長手方向に沿って段付き中芯１１の段が延びている。このため、開封時に舌片６を第２側板９から離反させるときに、舌片６の折れ曲がりが防止され、舌片６を介して接着テープ７を第２側板９から円滑且つ確実に剥離させることができる。しかも、このような段付き中芯１１の段の向きであることにより、内フラップ４からの舌片６の型抜きも精度良く行うことができる。
【００３７】
また、本実施形態においては、第２側板９の上縁に連設された一対の内フラップ４うちの一つに舌片６を設けたものを示したが、これに限るものではない。例えば、図示しないが、第２側板９の上縁に連設された一対の内フラップ４の夫々に舌片６を設けてもよく、また、第２側板９の下縁に連設されたものを含め全ての内フラップ４に舌片６を設けてもよい。
【００３８】
全ての内フラップ４に舌片６を設けた場合には、必要に応じて何れかの舌片６のみを第２側板９に重合させ、不要な舌片６は内フラップ４と共に胴部２の内側に折り曲げて隠すことができるので、何れかの舌片６を必要に応じて選択的に用いることができて有利である。
【００３９】
また、舌片６は内フラップ４に設けられる構成であることにより、例えば、図示しないが、舌片６を備えない状態で打ち抜かれた既存の板紙に対して、後工程で内フラップ４に舌片６を型抜きすることができる。このように、既存の包装箱において舌片６の追加形成が極めて容易に行え、舌片６を設けることによるコストの増加を極めて小さく抑えることができる。
【符号の説明】
【００４０】
１…包装箱、２…胴部、３…外フラップ、４…内フラップ、５…突き当て部、６…舌片、７…接着テープ、９…第２側板。
【図１】
0005567609.tif 000002
【図２】
0005567609.tif 000003
【図３】
0005567609.tif 000004
【図４】
0005567609.tif 000005
【図５】
0005567609.tif 000006
【図６】
0005567609.tif 000007